(57)【要約】【課題】光軸と対物レンズ中心が一致しないように配置されたレーザ光が照射される情報媒体において、情報媒体の傾きに対し対物レンズの光軸を補正する対物レンズ駆動装置を備えることによって再生性能の向上を目的とする。【解決手段】対物レンズ１の光軸に対してレーザ素子６の発光点を外す方向を設定することにより、光軸と対物レンズ１の中心が一致しないように配置されたレーザ光が照射される情報媒体５においても、対物レンズ１がフォーカス方向に変位することにより対物レンズ１が傾くことで発生する収差を打ち消すことができ、再生性能が向上する光ピックアップ装置を実現する。【選択図】図２
2007109350.tif 000002
【特許請求の範囲】
【請求項１】
複数の発光点を有するレーザ素子と、
前記レーザ素子から出射されたレーザ光を情報媒体に集光する対物レンズと、
前記対物レンズを前記情報媒体の傾きに応じて傾斜させる対物レンズ駆動部とを備え、
前記対物レンズ駆動部は、前記レーザ光を発光する発光点の光軸と前記対物レンズの中心を一致させるよう前記対物レンズをさらに傾斜させる光ピックアップ装置。
【請求項２】
前記発光点は、波長の異なる３つの発光点である請求項１記載の光ピックアップ装置。
【請求項３】
前記対物レンズはレンズホルダーに保持され、
前記対物レンズ駆動部は、前記レンズホルダーを、前記情報媒体の半径方向に対して内周側と外周側とで支持する弾性支持部材を備え、
前記弾性指示部材の外周側の線径は内周側の線径よりも細い請求項１または２記載の光ピックアップ装置。
【発明の詳細な説明】
【技術分野】
【０００１】
本発明は、ディスク状記録媒体に光スポットを投影して光学的に情報を再生または記録する装置における、光ピックアップ装置に関する。
【背景技術】
【０００２】
従来の光ピックアップ装置は、情報媒体の情報層に適した３種類の波長のレーザ光によって、情報媒体の情報層に応じてレーザ光源の切り替えを行っていた。
【０００３】
波長の異なる３種類のレーザ光源を用いる光ピックアップ装置においては、３種類のレーザ素子を同一のパッケージ内に収めて３波長のレーザ光が発生可能な３波長レーザユニットを用いて構成される場合がある（例えば特許文献１参照）。
【０００４】
このような３波長レーザユニットが用いられる光ピックアップ装置においては、各レーザ素子からそれぞれレーザ光が出射されるために各レーザ素子の発光点が離れている。その為、各レーザ素子の発光点を対物レンズの光軸に同時に一致させることができない。レーザ素子の発光点と対物レンズの光軸ズレは、情報媒体の情報層に照射されるレーザ光の品質劣化を招く。
【特許文献１】特開２００１−３０７３６７号公報
【発明の開示】
【発明が解決しようとする課題】
【０００５】
光軸と対物レンズ中心が一致しないように配置されたレーザ光が照射される情報媒体は、光軸を対物レンズ中心に配置しているレーザ光が照射される情報媒体より、収差の影響を受けて再生性能が劣化する。
【０００６】
本発明は、光軸と対物レンズ中心が一致しないように配置されたレーザ光が照射される情報媒体において、情報媒体の傾きに対し対物レンズの光軸を補正する対物レンズ駆動装置を備えることによって再生性能の向上を目的としてなされたものである。
【課題を解決するための手段】
【０００７】
この課題を解決するために本発明は、複数の発光点を有するレーザ素子と、レーザ素子から出射されたレーザ光を情報媒体に集光する対物レンズと、対物レンズを情報媒体の傾きに応じて傾斜させる対物レンズ駆動部とを備え、対物レンズ駆動部は、レーザ光を発光する発光点の光軸と前記対物レンズの中心を一致させるよう対物レンズをさらに傾斜させる。
【発明の効果】
【０００８】
本発明によれば、波長の異なる発光点を複数有し、情報媒体の情報層に対物レンズを介して前記レーザ装置の前記３つの発光点から出射するレーザ光を照射する時に、前記情報媒体の傾きに対し前記対物レンズの光軸を補正する対物レンズ駆動装置を備えており、光軸と対物レンズ中心が一致しないように配置されたレーザ光が照射される情報媒体においても再生性能が向上するという有利な効果が得られる。
【発明を実施するための最良の形態】
【０００９】
本発明は、対物レンズと、この対物レンズを保持するレンズホルダーと、１つ以上のマグネットと、このレンズホルダーを支持する複数のワイヤーと、このワイヤーの他端を固定する固定部材と、前記マグネットに対向して前記レンズホルダーと一体となった駆動コイルと、前記レンズホルダーを駆動するコイルに給電するための配線回路基板（フレキシブルプリント基板）を備え、波長の異なる発光点を３つ有し、前記発光点の１つを光軸中心に配置したレーザ装置と、情報媒体の情報層に対物レンズを介して前記レーザ装置の前記３つの発光点から出射するレーザ光を照射する時に、前記情報媒体の傾きに対し前記対物レンズの光軸を補正する対物レンズ駆動装置を備えたことを特徴とする光ピックアップ装置としたものであり、光軸と対物レンズ中心が一致しないように配置されたレーザ光が照射される情報媒体においても再生性能が向上するという作用を有する。
【００１０】
以下、本発明の実施の形態について、説明する
（実施の形態）
対物レンズ１が保持されるレンズホルダー２を変位可能に支持する対物レンズ駆動装置は、互いに平行に設置される４本のワイヤー３ａ、３ｂ、３ｃ、３ｄの一端をそれぞれ固定部材４に取り付け、もう一端をレンズホルダー２に取り付けることによって、レンズホルダー２が弾性的に支持される。
【００１１】
前記ワイヤー３ａ〜３ｄはすべて同一素材のベリリウム銅が使用されているが、そのうち情報媒体の外周側のワイヤー３ｃ、３ｄは内周側のワイヤー３ａ、３ｂに対して線径を細くしている。
【００１２】
その為、対物レンズ１をフォーカス方向に変位させた場合の傾きは情報媒体５の傾きと同一方向となり、情報媒体５の面ぶれによる再生性能は良好となる。
【００１３】
この様子を図３を用いて説明する。図３（ａ）は情報媒体５に面ぶれが生じていない状態で再生動作を行っている様子を示しており、対物レンズは情報媒体５から所定の位置に制御される。次に情報媒体５に面ぶれが生じた場合の動作について図３（ｂ）に示す。図３（ｂ）に示すように、情報媒体５の外周側が対物レンズに対して反対側に傾いた場合、フォーカス制御により対物レンズ１は情報媒体５に近づくように変位する。このとき外周側のワイヤーと内周側のワイヤーの線径の差異により、対物レンズ１の外周側の変位は内周側の変位よりも大きくなり、結果として対物レンズ１は情報媒体５と同方向に傾くことになる。すなわち対物レンズ１は情報媒体５に近づきながら情報媒体５と同方向に傾くことになる。情報媒体５の内周側が対物レンズに対して反対側に傾いた場合も同様に、対物レンズ１は情報媒体５と同方向に傾くことになる。
【００１４】
このような機構を設けたことにより、情報媒体５の面ぶれに追従でき良好な再生性能を得ることができる。
【００１５】
３波長レーザユニットにおいて、異なる３つの発光点が一方は光軸中心に、もう一方は光軸と対物レンズ中心が一致しないように配置されている。
【００１６】
対物レンズ１に入射されるレーザ光が対物レンズ１の光軸方向に対して斜めから入射されると、その角度に応じて対物レンズ１を通過したレーザ光に収差が発生される。その為、レーザ素子６の発光点が対物レンズ１の光軸中心から外れて配置されていることによりレーザ素子６から発光されるレーザ光は、対物レンズ１を通過して収差が発生することになる。
【００１７】
したがって、対物レンズ１の光軸に対してレーザ素子６の発光点を外す方向を設定することにより、光軸と対物レンズ１の中心が一致しないように配置されたレーザ光が照射される情報媒体５においても、対物レンズ１がフォーカス方向に変位することにより対物レンズ１が傾くことで発生する収差を打ち消すことが出来る。
【００１８】
この様子を図４を用いて説明する。図４は対物レンズ１とレーザ素子６との関係を示した模式図である。図４（ａ）は中央の光源からレーザ光が出射された場合を示しており、この場合には対物レンズ１の中央と光軸とが一致する。図４（ｂ）は異なる波長の光源からレーザ光が出射された場合をしめしており、この場合には対物レンズ１の中央と光軸とが一致しない。そこで前述の機構を用いて対物レンズ１の傾きを変化させることで、図４（ｃ）に示すように対物レンズ１の中央と光軸とを一致させることができる。
【産業上の利用可能性】
【００１９】
本発明の光ピックアップ装置は、対物レンズの中心がレーザ光の光軸にほぼ一致するよう対物レンズが駆動されるので、波長の異なる複数の発光点を有する光ピックアップ装置等として有用である。
【図面の簡単な説明】
【００２０】
【図１】本発明の一実施例を示す光ピックアップ装置の光学系を示す光学配置図
【図２】対物レンズ駆動装置を示す図
【図３】レンズホルダーと情報媒体の関係を示す図
【図４】対物レンズとレーザ素子の関係を示す図
【符号の説明】
【００２１】
１    対物レンズ
２    レンズホルダー
３ａ    ワイヤー（内周側）
３ｂ    ワイヤー（内周側）
３ｃ    ワイヤー（外周側）
３ｄ    ワイヤー（外周側）
４    固定部材
５    情報媒体
６    レーザ素子
【図１】
2007109350.tif 000003
【図２】
2007109350.tif 000004
【図３】
2007109350.tif 000005
【図４】
2007109350.tif 000006